(57)【要約】【課題】高所に布設された電線の腐食程度を診断する作業を、安全で容易に実施することができる架空線の腐食診断方法およびその装置を提供する。【解決手段】架空送電線１を無人で走行する自走式の走行装置２と、走行装置２に設置され、架空送電線１の付着水滴を採取する水滴採取機構６と、走行装置２に設置され、水滴採取機構６で採取された水分を回収する回収容器８とを備えて架空線の腐食診断装置を構成する。架空送電線１に、その走行装置２を走行させ、この際、水滴採取機構６で採取された水分を、回収容器８に回収したのち分析することにより架空送電線１の腐食程度の診断を行う。【選択図】　図１
2004129380.tif 000002
【特許請求の範囲】
【請求項１】
架空線の腐食程度を診断する架空線の腐食診断方法において、
前記架空線に、無人で自走しながら前記架空線の表面に付着した水分を採取する走行装置を取付けて走行させ、前記走行装置で採取された水分を回収したのち分析することにより前記架空線の腐食程度の診断を行う
ことを特徴とする架空線の腐食診断方法。
【請求項２】
架空線の腐食程度を診断するための架空線の腐食診断装置において、
前記架空線を無人で走行する自走式の走行装置と、
前記走行装置に設置され、前記架空線の付着水滴を採取する水滴採取機構と、
前記走行装置に設置され、前記水滴採取機構で採取された水分を回収する容器と
を備えたことを特徴とする架空線の腐食診断装置。
【請求項３】
前記水滴採取機構は、前記架空線の表面に接触しながら可動することで前記架空線の付着水滴を落下させる可動機能を備え、前記容器は前記可動機能の下に配置される
ことを特徴とする請求項２に記載の架空線の腐食診断装置。
【発明の詳細な説明】
【０００１】
【発明の属する技術分野】
本発明は、高所に布設される架空線の腐食程度を診断する架空線の腐食診断方法およびその装置に関する。
【０００２】
【従来の技術】
架空線は、布設周辺の環境内に存在する水分、海塩粒子（ＮａＣｌ）、各種ガス（ＨＣｌ，Ｃｌ２，ＳＯＸ，ＮＯＸ，Ｈ２Ｓ等）などに起因して、早期のうちに腐食することがある。架空送電線（以下、電線と称する）が腐食するとその機械的特性や電気的特性等が低下する。さらに電線の腐食が進行すると断線に至り、送電不能の状態を招くケースもある。したがって、条件の厳しい環境下に布設された架空送電線路については、定期的な線路の点検が不可欠となる。
【０００３】
通常、これには、架空線に懸架させた宙乗機に人間が乗り、宙乗機を走行させながら電線表面の腐食状態を観察する方法が実行されている。しかし、この診断方法では、診断が不便な宙乗機上で同機を進めながらの作業となるため、作業遂行に多大な労力を要する。さらに、腐食が著しく進行した架空線を診断対象とするとき、電線の断線とそれに伴なう作業者の落下の危険性があるため、安全上の見地からも好ましいものとはいえない。
【０００４】
このように人間が宙乗機に乗らずとも診断を行う方法として、降雨の後に電線から落下する水滴を下で受け取ったり、電線の高い部分から水を人工的に注ぎ、電線の低い位置から落下する水滴を下で受け取って回収し、この回収された水に含まれる金属のイオン濃度を測定することによって電線の腐食を診断する方法がある（例えば、特許文献１参照。）。
【０００５】
【特許文献１】
特開昭６４−７３２４７号公報
【０００６】
【発明が解決しようとする課題】
しかし、従来の公報による診断方法においては、高所に布設された電線から落下する水滴を受け取って回収する場合、架空送電線は通常位置が高いので風で水滴が流されて落下地点が定まらなかったり、落下地点が沼地などの人が容易に行けない難所であった場合は、その地点に行くのが困難となったりする等、回収作業が困難となり、結果的に腐食程度を容易に診断することができない。
リフト等の昇降手段を用いて回収する方法も考えられるが、難所である場合、その昇降手段を設置するのが困難であり、設置不可能であったりするので、やはり回収作業が困難となり、結果的に腐食程度を安全で容易に診断することができない。
【０００７】
本発明は、かかる点に鑑みてなされたものであり、高所に布設された電線の腐食程度を診断する作業を、安全で容易に実施することができる架空線の腐食診断方法およびその装置を提供することを目的とする。
【０００８】
【課題を解決するための手段】
上記課題を解決するために、本発明の架空線の腐食診断方法は、架空線の腐食程度を診断する架空線の腐食診断方法において、前記架空線に、無人で自走しながら前記架空線の表面に付着した水分を採取する走行装置を取付けて走行させ、前記走行装置で採取された水分を回収したのち分析することにより前記架空線の腐食程度の診断を行うことを特徴としている。
【０００９】
また、本発明の架空線の腐食診断装置は、架空線の腐食程度を診断するための架空線の腐食診断装置において、前記架空線を無人で走行する自走式の走行装置と、前記走行装置に設置され、前記架空線の付着水滴を採取する水滴採取機構と、前記走行装置に設置され、前記水滴採取機構で採取された水分を回収する容器とを備えたことを特徴としている。
【００１０】
また、前記水滴採取機構は、前記架空線の表面に接触しながら可動することで前記架空線の付着水滴を落下させる可動機能を備え、前記容器は前記可動機能の下に配置されることを特徴としている。
【００１１】
【発明の実施の形態】
以下、本発明の実施の形態について、図面を参照して詳細に説明する。
【００１２】
（実施の形態）
図１に示す本実施の形態に係る架空線の腐食診断装置は、図示せぬ鉄塔間に架線されたＡＣＳＲタイプの架空送電線１に、電線の腐食程度を診断するための無人自走式の走行装置２を設置したものである。
【００１３】
この走行装置２は、フレーム３に懸架用の車輪４を設け、さらに、フレーム３の下方に車輪４を回転させるための駆動源５を配置し、さらに、フレーム３に固定されて延長されたアーム７の先端に水滴採取機構６を取り付け、この水滴採取機構６の直下位置に、駆動源５に添設された回収容器８を配置して構成したものである。
【００１４】
水滴採取機構６は、矢印Ｙ１のように架空送電線１の表面を接触して回転し、この回転によって架空送電線１の表面に付着した水滴９を、回収容器８に落下させて採取するように構成されている。なお、水滴採取機構６は、図２に双方向矢印Ｙ２で示すように、架空送電線１の長手方向に摺動するようにしても良い。なお、水滴採取機構６により架空送電線１の表面から水滴９を採取する際に、架空送電線１の最外層を構成するアルミニウム線への損傷を防ぐ意味から、水滴採取機構６の治具は、軟質もしくは半硬質のもので構成することが望ましい。
【００１５】
このような構成の架空線の腐食診断装置においては、駆動源５によって車輪４が架空送電線１上を回動することによって、走行装置２が例えば矢印Ｙ３方向へ進む。これと同時に、駆動源５によって駆動する水滴採取機構６が架空送電線１の表面を接触して回転する。この回転によって架空送電線１の表面に付着した水滴９が、回収容器８に落下して回収される。この回収容器８に回収された水滴９は、地上において分析装置にかけられ、含有される成分、ｐＨ等が特定され、これにより架空送電線１の腐食程度が診断されることとなる。
【００１６】
ここで、上記の架空線の腐食診断装置により、降雨後における実線路の電線表面から付着水滴を採取し、分析を行うことで、最外層アルミニウム導体線の腐食程度を判断するとともに、電線を撤去して実際の腐食程度を調査した結果を下表１に示し、その説明を行う。即ち、表１は、架線環境の異なる実線路電線について、採取した水滴の分析・評価結果と実際の最外層アルミニウム線の腐食程度を示したものである。
【００１７】
【表１】
2004129380.tif 000003
この表１において、線路Ａは産業廃棄物焼却場に近接して架線されていた送電線路の例であり、焼却場から排出される煤煙が電線に直接降りかかる箇所から採取した水滴９を分析対象とした。分析の結果、塩化物イオン（Ｃｌ−）、硫酸イオン（ＳＯ４２−）、硝酸イオン（ＮＯ３−）が極めて多く含まれており、またｐＨは２．６と高い酸性を示したため、最外層アルミ線の腐食程度は極めて大きいと診断された。
【００１８】
一方、線路Ｂは海岸と工業地帯の近接地帯に架線された送電線路の例である。塩化物イオン、硫酸イオン、硝酸イオンの量およびｐＨから、腐食程度は大と診断された。
【００１９】
線路Ｃは海岸近接地帯に架線された送電線路の例である。塩化物イオン、硫酸イオンの量、ｐＨ値より、腐食程度は中と判断された。
【００２０】
さらに、市街地架線の線路Ｄ、田園地架線の線路Ｅ、山間地架線の線路Ｆは、各種イオンの量およびｐＨの程度から、腐食程度はそれぞれ小、軽微、軽微と診断された。
【００２１】
なお、表１において、撤去電線の腐食程度とあるのは、上記の腐食診断が下された送電線路Ａ〜Ｆを構成する送電線を対象として実施した、最外層アルミニウム線の腐食程度の評価結果を示したものである。これによれば、前述した腐食診断結果の正しいことが実証されている。
【００２２】
以上のように、本実施の形態による架空線の腐食診断装置を用いた腐食程度の診断方法によれば、無人自走式の走行装置２を架空送電線１上に設置して走行させ、架空送電線１の表面に付着している水滴９を水滴採取機構６によって落下させ、この水滴９を回収容器８で回収するようにして高所での作業が進められるようにしたので、この間、人手を要することがなく安全に水滴９を回収することができる。また、回収容器８は、走行装置２を鉄塔まで移動させたのち取り外せば良いので容易に回収することができる。さらに回収後に分析を行って診断を行うので、腐食程度を適正に評価することができる。従って、高所に布設された電線の腐食程度を診断する作業を、安全で容易に実施することができる。
【００２３】
なお、走行装置２および水滴採取機構６の操作は、鉄塔上あるいは地上、ならびに有線あるいは無線のいずれによっても可能であり、また、回収された水滴９の分析も、それが可能かつ有意義であるならば、走行装置２上で行なうようにしてもよい。
【００２４】
【発明の効果】
以上説明したように、本発明によれば、高所に布設された架空線の腐食程度を診断する場合に、架空線に、無人で自走しながら架空線の表面に付着した水分を採取する走行装置を取付けて走行させ、走行装置で採取された水分を回収したのち分析することにより架空線の腐食程度の診断を行うようにしたので、少なくとも高所での水分の採取は無人で行うことができ、また、走行装置で採取された水を鉄塔等の位置で回収することができるので、回収作業を容易に行うことができる。さらに、回収された水分を分析することで腐食程度の診断を行うので、腐食程度を適正に評価することができる。従って、高所に布設された電線の腐食程度を診断する作業を、安全で容易に実施することができる。
【図面の簡単な説明】
【図１】本発明の実施の形態に係る架空線の腐食診断装置の構成を示す図である。
【図２】上記腐食診断装置における水滴採取機構の他の採取動作を説明するための図である。
【符号の説明】
１　架空送電線
２　走行装置
３　フレーム
４　車輪
５　駆動源
６　水滴採取機構
７　アーム
８　回収容器
９　水滴
Ｙ１，Ｙ２　水滴採取機構の可動方向
Ｙ３　走行装置の移動方向
【図１】
2004129380.tif 000004
【図２】
2004129380.tif 000005